(57)【特許請求の範囲】
【請求項１】
店舗内で買い物を行う顧客に対して情報を再生する１以上の情報提示装置と、前記情報提示装置に無線又は有線で接続され、前記情報を配信するサーバと、店舗内の売場を分割した個々のゾーン毎に割り当てられ、前記ゾーン内の前記情報提示装置に対して、前記サーバから送られた前記情報を配信する情報配信装置と、を備える情報配信システムであって、
前記サーバは、
前記個々のゾーン毎に配信される提供情報と、前記提供情報を配信するゾーンを特定するためのゾーンＩＤと、前記提供情報を配信する時間帯と、からなる提供情報テーブルと、
前記情報提示装置を使用している顧客の購買履歴を含み、前記提供情報に合成されるスーパーインポーズ用情報と、前記スーパーインポーズ用情報を配信するゾーンを特定するための前記ゾーンＩＤと、前記スーパーインポーズ用情報を配信する時間帯と、からなるスーパーインポーズ用情報テーブルと、
前記提供情報を前記ゾーンＩＤと前記時間帯により前記提供情報テーブルに割り当て、登録する提供情報登録手段と、
前記スーパーインポーズ用情報を前記ゾーンＩＤと前記時間帯により前記スーパーインポーズ用情報テーブルに割り当て、登録するスーパーインポーズ用情報登録手段と、
前記提供情報に前記スーパーインポーズ用情報を合成する合成手段と、
前記合成手段により、前記スーパーインポーズ用情報テーブルに登録されているスーパーインポーズ用情報を当該時間帯に割り当てられている提供情報に合成された情報を、前記ゾーンＩＤに該当するゾーンに割り当てられている情報配信装置に送信し、指定された前記時間帯に前記情報配信装置から配信する制御を行う配信制御手段と、
を備え、
前記情報提示装置は、
前記情報配信装置から無線通信により受信した合成された情報を表示する表示手段と、
を具備し、
前記情報配信装置は、前記情報提示装置の固有ＩＤあるいはアドレスを検出することにより、前記情報配信装置が担当するゾーンに初めて入ってきた前記情報提示装置に対して、配信対象となる前記提供情報を１回だけ配信することを特徴とする情報配信システム。
【請求項２】
店舗内で買い物を行う顧客に対して情報を再生する１以上の情報提示装置と、前記情報提示装置に無線又は有線で接続され、前記情報を配信するサーバと、店舗内の売場を分割した個々のゾーン毎に割り当てられ、前記ゾーン内の前記情報提示装置に対して、前記サーバから送られた前記情報を配信する情報配信装置と、を備える情報配信システムであって、
前記サーバは、
前記個々のゾーン毎に配信される提供情報と、前記提供情報を配信するゾーンを特定するためのゾーンＩＤと、前記提供情報を配信する時間帯と、からなる提供情報テーブルと、
前記情報提示装置を使用している顧客の購買履歴を含み、前記提供情報に合成されるスーパーインポーズ用情報と、前記スーパーインポーズ用情報を配信するゾーンを特定するための前記ゾーンＩＤと、前記スーパーインポーズ用情報を配信する時間帯と、からなるスーパーインポーズ用情報テーブルと、
前記提供情報を前記ゾーンＩＤと前記時間帯により前記提供情報テーブルに割り当て、登録する提供情報登録手段と、
前記スーパーインポーズ用情報を前記ゾーンＩＤと前記時間帯により前記スーパーインポーズ用情報テーブルに割り当て、登録するスーパーインポーズ用情報登録手段と、
前記提供情報テーブルに登録されている提供情報、及び前記スーパーインポーズ用情報テーブルに登録されているスーパーインポーズ用情報を、前記ゾーンＩＤに該当するゾーンに割り当てられている情報配信装置に送信し、指定された前記時間帯に前記情報配信装置から配信する制御を行う配信制御手段と、
を備え、
前記情報提示装置は、
前記情報配信装置から無線通信により提供情報及びスーパーインポーズ用情報を受信する受信手段と、
前記提供情報に前記スーパーインポーズ用情報を合成する合成手段と、
前記合成手段により前記スーパーインポーズ用情報が前記提供情報に合成された情報を、表示する表示手段と、
を具備し、
前記情報配信装置は、前記情報提示装置の固有ＩＤあるいはアドレスを検出することにより、前記情報配信装置が担当するゾーンに初めて入ってきた前記情報提示装置に対して、配信対象となる前記提供情報を１回だけ配信することを特徴とする情報配信システム。
【請求項３】
前記合成手段は、
前記スーパーインポーズ用情報を、前記提供情報が表示された前記情報提示装置の表示画面上の所定の位置にスーパーインポーズすることを特徴とする請求項１記載の情報配信システム。
【請求項４】
前記サーバは、
更に、ネットワークを介して、店舗の在庫販売管理システムと接続され、
前記配信制御手段は、
前記在庫販売管理システムから、特定の商品に対して、売上げ状況及び／又は在庫状況を受信、監視し、前記売上げ状況及び／又は前記在庫状況に応じて当該商品の価格情報を設定し、前記スーパーインポーズ用情報として配信する制御を行うことを特徴とする請求項１又は請求項２記載の情報配信システム。
【請求項５】
前記情報提示装置は、店舗内において商品を格納し、運搬するショッピングカートに備えられることを特徴とする請求項１又は請求項２記載の情報配信システム。
【請求項６】
前記スーパーインポーズ用情報は、商品の価格情報であることを特徴とする請求項１又は請求項２記載の情報配信システム。
【請求項７】
前記提供情報は、広告情報、ＰＯＰコンテンツ、店舗内情報のいずれかであることを特徴とする請求項１又は請求項２記載の情報配信システム。
【発明の詳細な説明】
【技術分野】
【０００１】
本発明は、情報配信システムに係り、特に、スーパーマーケットなどの店舗において、ショッピングカートを利用して買い物を行う顧客に対して、広告等の情報の提供を行う情報配信システムに関する。
【背景技術】
【０００２】
商品についての販売促進用の広告手法は、ＴＶ・新聞・雑誌などのマスメディアを介した商品広告から、店頭の陳列棚に設置する販促用ディスプレイに至るまで、極めて多岐にわたっている。このような多岐にわたる広告手法の中でも、スーパーマーケットなどの店舗において、当該店舗で実際に販売中の具体的な商品についての広告を、買い物客に提示する方法は、極めて効果の大きな広告方法である。
【０００３】
近年、商店およびショッピングセンターなどのセルフサービスの形態で陳列した商品の販売を行う店舗において、購入する商品を入れて運搬するショッピングカートなどに表示装置を設け、広告や店舗内情報の伝達を行うシステムが幾つか存在する。
例えば、店舗に設置したサーバが集中管理する広告や店舗情報を、ＬＡＮなどでサーバと接続したアクセスポイントを介して、無線通信によりショッピングカートに配信するショッピングカート用表示システムが開示されている（例えば、特許文献１参照）。
【０００４】
【特許文献１】特開平１１−１５２０４１号公報
【発明の開示】
【発明が解決しようとする課題】
【０００５】
上述したように、店舗内のショッピングカートを利用した情報提示は、極めて効率的な商品広告の可能性をもっている。しかしながら、従来のシステムでは、売場ごとに何らかの販売情報、広告情報を提示するが、予めスケジュールされた情報では、原則、商品の価格情報を盛り込まない。例えば、夕方からのタイムセールのように、売上げ状況、在庫状況などを売り手が判断して、スケジュールされた情報に加えて、リアルタイムに価格情報等の有効な情報を顧客に対して提供することはできないという問題があった。
【０００６】
本発明は、以上の点に鑑みてなされたものであり、顧客に対して、広告などの情報の配信に加えて、有効な情報をリアルタイムに提供することを可能にする情報配信システム等を提供することを目的とする。
【課題を解決するための手段】
【０００７】
前述した目的を達成するために第１の発明は、店舗内で買い物を行う顧客に対して情報を再生する１以上の情報提示装置と、前記情報提示装置に無線又は有線で接続され、前記情報を配信するサーバと、店舗内の売場を分割した個々のゾーン毎に割り当てられ、前記ゾーン内の前記情報提示装置に対して、前記サーバから送られた前記情報を配信する情報配信装置と、を備える情報配信システムであって、前記サーバは、前記個々のゾーン毎に配信される提供情報と、前記提供情報を配信するゾーンを特定するためのゾーンＩＤと、前記提供情報を配信する時間帯と、からなる提供情報テーブルと、前記情報提示装置を使用している顧客の購買履歴を含み、前記提供情報に合成されるスーパーインポーズ用情報と、前記スーパーインポーズ用情報を配信するゾーンを特定するための前記ゾーンＩＤと、前記スーパーインポーズ用情報を配信する時間帯と、からなるスーパーインポーズ用情報テーブルと、前記提供情報を前記ゾーンＩＤと前記時間帯により前記提供情報テーブルに割り当て、登録する提供情報登録手段と、前記スーパーインポーズ用情報を前記ゾーンＩＤと前記時間帯により前記スーパーインポーズ用情報テーブルに割り当て、登録するスーパーインポーズ用情報登録手段と、前記提供情報に前記スーパーインポーズ用情報を合成する合成手段と、前記合成手段により、前記スーパーインポーズ用情報テーブルに登録されているスーパーインポーズ用情報を当該時間帯に割り当てられている提供情報に合成された情報を、前記ゾーンＩＤに該当するゾーンに割り当てられている情報配信装置に送信し、指定された前記時間帯に前記情報配信装置から配信する制御を行う配信制御手段と、を備え、前記情報提示装置は、前記情報配信装置から無線通信により受信した合成された情報を表示する表示手段と、具備し、前記情報配信装置は、前記情報提示装置の固有ＩＤあるいはアドレスを検出することにより、前記情報配信装置が担当するゾーンに初めて入ってきた前記情報提示装置に対して、配信対象となる前記提供情報を１回だけ配信することを特徴とする情報配信システムである。
【０００８】
また、前記サーバは、更に、ネットワークを介して、店舗の在庫販売管理システムと接続され、前記配信制御手段は、前記在庫販売管理システムから、特定の商品に対して、売上げ状況及び／又は在庫状況を受信、監視し、前記売上げ状況及び／又は前記在庫状況に応じて当該商品の価格情報を設定し、前記スーパーインポーズ用情報として配信する制御を行うことが望ましい。
【００１０】
「スーパーインポーズ用情報」は、提供情報に合成する商品の価格情報や、情報提示装置を使用している顧客の属性情報（購買履歴、ポイント、マイレージ等）であり、静止画、動画、文字等のいずれかである。
「情報提示装置」は、例えば、店舗内において商品を格納し、運搬するショッピングカートに備えられ、配信された情報を表示する端末装置である。
「情報配信装置」は、店舗内の売場を分割した個々のゾーン毎に割り当てられ、ゾーン内の情報提示装置に対して、サーバから送られた情報を配信する。
「提供情報」は、広告情報、ＰＯＰコンテンツ、店舗内情報等の種々の情報である。
【００１１】
第１の発明では、売上げ状況、在庫状況などを判断して、スケジュールされた情報に加えて、リアルタイムに設定した価格情報等の有効な情報を、顧客に対して提供することが可能となる。
【００１２】
また、第２の発明は、店舗内で買い物を行う顧客に対して情報を再生する１以上の情報提示装置と、前記情報提示装置に無線又は有線で接続され、前記情報を配信するサーバと、店舗内の売場を分割した個々のゾーン毎に割り当てられ、前記ゾーン内の前記情報提示装置に対して、前記サーバから送られた前記情報を配信する情報配信装置と、を備える情報配信システムであって、前記サーバは、前記個々のゾーン毎に配信される提供情報と、前記提供情報を配信するゾーンを特定するためのゾーンＩＤと、前記提供情報を配信する時間帯と、からなる提供情報テーブルと、前記情報提示装置を使用している顧客の購買履歴を含み、前記提供情報に合成されるスーパーインポーズ用情報と、前記スーパーインポーズ用情報を配信するゾーンを特定するための前記ゾーンＩＤと、前記スーパーインポーズ用情報を配信する時間帯と、からなるスーパーインポーズ用情報テーブルと、
前記提供情報を前記ゾーンＩＤと前記時間帯により前記提供情報テーブルに割り当て、登録する提供情報登録手段と、前記スーパーインポーズ用情報を前記ゾーンＩＤと前記時間帯により前記スーパーインポーズ用情報テーブルに割り当て、登録するスーパーインポーズ用情報登録手段と、前記提供情報テーブルに登録されている提供情報、及び前記スーパーインポーズ用情報テーブルに登録されているスーパーインポーズ用情報を、前記ゾーンＩＤに該当するゾーンに割り当てられている情報配信装置に送信し、指定された前記時間帯に前記情報配信装置から配信する制御を行う配信制御手段と、を備え、前記情報提示装置は、前記情報配信装置から無線通信により提供情報及びスーパーインポーズ用情報を受信する受信手段と、前記提供情報に前記スーパーインポーズ用情報を合成する合成手段と、前記合成手段により前記スーパーインポーズ用情報が前記提供情報に合成された情報を、表示する表示手段と、を具備し、前記情報配信装置は、前記情報提示装置の固有ＩＤあるいはアドレスを検出することにより、前記情報配信装置が担当するゾーンに初めて入ってきた前記情報提示装置に対して、配信対象となる前記提供情報を１回だけ配信することを特徴とする情報配信システムである。
【発明の効果】
【００２３】
本発明は、以上の点に鑑みてなされたものであり、顧客に対して、広告などの情報の配信に加えて、有効な情報をリアルタイムに提供することを可能にする情報配信システム等を提供することができる。
【発明を実施するための最良の形態】
【００２４】
以下に、添付図面を参照しながら、本発明に係る情報配信システム等の好適な実施形態について詳細に説明する。尚、以下の説明および添付図面において、略同一の機能構成を有する構成要素については、同一の符号を付することにより重複説明を省略することにする。
【００２５】
図１は、本実施の形態に係る情報配信システム１００の概略構成を示す図である。図１は、情報配信システム１００の一例であり、図１に示すように、情報配信システム１００は、サーバ１０１、１以上の情報配信装置１０３、１以上のショッピングカート１０８に備える情報提示装置１０５、通信回線１０９等からなる。
【００２６】
情報配信システム１００は、ローカルネットワーク（ＬＡＮ）などの通信回線１０９を介して、サーバ１０１と、情報配信装置１０３とが接続され、更に、広告主１１０の端末装置１０７、外部システム（例えば、在庫販売管理システム１０）とが接続される。
【００２７】
サーバ１０１はパーソナルコンピュータ等であり、広告情報登録手段１１１、スーパーインポーズ登録手段１１２、配信制御手段１１３、スーパーインポーズ手段１１４、及び広告情報データベース３０１等を有する。
広告情報登録手段１１１は、広告主１２０や店舗担当者１２１等の端末装置１０７から、配信する広告情報、配信時間帯、配信する店舗内の売場を分割したゾーン２１等を登録し、広告情報データベース３０１に保持する。尚、本発明に使用する「広告情報」は、広告主／店舗からの広告、ＰＯＰコンテンツ、店舗内情報等の提供情報を総称するものである。また、ゾーン２１の定義については、後述詳しく説明する（図２参照）。
スーパーインポーズ登録手段１１２は、広告主１２０や店舗担当者１２１等の端末装置１０７から広告情報にスーパーインポーズするスーパーインポーズ用情報（価格情報、顧客情報等）、配信時間帯、配信するゾーン２１等を登録し、広告情報データベース３０１に保持する。
配信制御手段１１３は、スケジュールされた時間帯に、広告情報データベース３０１に登録した広告情報を、情報配信装置１０３を介して、情報提示装置１０５に配信するとともに、広告情報にスーパーインポーズ用情報を合成した情報を指定された時間帯に配信する制御を行う。
スーパーインポーズ手段１１４は、スーパーインポーズ用情報を、広告情報の所定の位置にスーパーインポーズする。
広告情報データベース３０１には、広告情報管理テーブル３１０、広告情報３２０、スーパーインポーズ用情報管理テーブル３３０、スーパーインポーズ用情報３４０が保持されている。
【００２８】
情報配信装置１０３は、店舗内の売場を分割した複数のゾーン２１に対して、割り当てられており、担当ゾーン２１内に入ってきたショッピングカート１０８の情報提示装置１０５に対して、広告情報、および広告情報にスーパーインポーズ用情報を合成した情報等を配信する。
【００２９】
ショッピングカート１０８は、店舗内において商品を格納し、運搬する移動体であり、例えば、商店およびショッピングセンターなどのセルフサービスの形態で陳列した商品の販売を行う店舗において、購入する商品を入れて運搬する。ショッピングカート１０８は、情報提示装置１０５を備える。
情報提示装置１０５は、顧客に対して、サーバ１０１から広告情報の提供（受信、表示）を行う。
【００３０】
図２は、店舗２０内でのゾーン２１定義と店舗内の概略構成の一例を示す平面図である。
図２に示すように、ショッピングカート１０８を利用して買い物を行う顧客に対して、店舗２０内の売場を複数のゾーン２１−１、２１−２、…２１−９に分割する。例えば、ゾーン２１−１は、精肉・水産品の売場、ゾーン２１−２は、ハム・ソーゼージ及びデザートの売場、ゾーン２１−３は、冷凍食品及び乳製品の売場、ゾーン２１−９は、店舗入り口等である。
個々のゾーン２１−１、２１−２、…には、情報配信装置１０３−１、１０３−２、…が設置される。図２では、情報配信装置１０３は、商品陳列棚２２の上に配置した例が示されているが、これに限るわけではなく、天井や床に設置してもよい。
ゾーン２１は、配信する広告の請負単位としての意味をもち、同一ゾーン２１内に存在するショッピングカート１０８に備え付けられている情報提示装置１０５には、同一の広告情報が配信される。
例えば、店舗入口から入店した買い物客は、ショッピングカート１０８を押してゾーン２１−９、ゾーン２１−５、２１−２、２１−１という経路を通った場合、まず、ゾーン２１−９に進入した時点で、店舗内情報の配信を受け、ゾーン２１−５に進入した時点で、パン、菓子売場内の特定の商品等について広告配信を受け、ゾーン２１−１に進入した時点で、精肉・水産品売場内の特定の商品について広告配信を受けることになる。
【００３１】
次に、図３を参照しながら、サーバ１０１のハードウェア構成を説明する。図３は、サーバ１０１のハードウェア構成図である。
【００３２】
サーバ１０１は、制御部２０１、記憶部２０２、メディア入出力部２０３、通信制御部２０４、入力部２０５、表示部２０６、印刷部２０７等が、システムバス２０９を介して接続されて構成される。
【００３３】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００３４】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う後述する各種処理（図８、図１０、図１１参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００３５】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３９１や、本コンピュータを適用するサーバ１０１が行う後述の処理（図８、図１０、図１１参照）に相当するアプリケーションプログラム３９２等が格納されている。
これらの各プログラムコードは、制御部２０１により必要に応じて読み出されてＲＡＭに移され、ＣＰＵに読み出されて各種の手段として実行される。
【００３６】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００３７】
通信制御部２０４は、通信制御装置、通信ポート等を有し、サーバ１０１と通信回線１０９間の通信を媒介する通信インタフェースであり、通信回線１０９を介して、サーバ１０１と、情報配信装置１０３間の通信制御を行う。
【００３８】
入力部２０５は、データの入力を行い、例えば、キーボード、マウス等のポインティングデバイス、テンキー等の入力装置を有する。
入力部２０５を介して、サーバ１０１に対して、操作指示、動作指示、データ入力等を行うことができる。
【００３９】
表示部２０６は、ＣＲＴモニタ、液晶パネル等のディスプレイ装置、ディスプレイ装置と連携してコンピュータのビデオ機能を実現するための論理回路等（ビデオアダプタ等）を有する。
【００４０】
印刷部２０７は、プリンタであり、印刷出力処理を行う。
【００４１】
システムバス２０９は、各装置間の制御信号、データ信号等の授受を媒介する経路である。
【００４２】
次に、図４を参照しながら、サーバ１０１の記憶部２０２が保持する情報について説明する。図４は、記憶部２０２が保持する情報を示す図である。
【００４３】
記憶部２０２内には、広告情報データベース３０１、及び制御プログラム３９１、アプリケーションプログラム３９２等が格納されている。
【００４４】
図５は、広告情報データベース３０１のデータ構造を示す図である。
図５に示すように、広告情報データベース３０１は、広告情報管理テーブル３１０、広告情報３２０、スーパーインポーズ用情報管理テーブル３３０、スーパーインポーズ用情報３４０からなる。
【００４５】
広告情報管理テーブル３１０は、配信する広告情報３２０をスケジュール、管理し、ゾーンＩＤ３１１、配信時間帯３１２、広告情報ＩＤ３２１等を少なくとも有する。ゾーンＩＤ３１１は、情報配信装置１０３から配信するゾーンを特定するための固有ＩＤである。
配信時間帯３１２は、配信する時刻、曜日、祝祭日等を設定する。例えば、平日および休日ごとに、１日を「１０：００から１３：００」、「１３：００から１６：００」、「１６：００から２０：００」なる時間帯を設定する。
広告情報ＩＤ３２１は、広告情報３２０の識別情報である。
【００４６】
広告情報３２０は、広告主／店舗からの広告、ＰＯＰコンテンツ、店舗内情報等の提供情報であり、広告情報ＩＤ３２１、広告データ３２２等からなる。広告データ３２２は、動画、静止画、文字データ等である。
【００４７】
スーパーインポーズ用情報管理テーブル３３０は、広告情報３２０に合成するスーパーインポーズ用情報３４０を管理するテーブルであり、ゾーンＩＤ３１１、配信時間帯３１２、スーパーインポーズ用情報ＩＤ３３１、表示位置情報３２４等を少なくとも有する。
スーパーインポーズ用情報３４０は、商品の価格情報、顧客の属性情報（購買履歴、ポイント、マイレージ等）であり、スーパーインポーズ用情報ＩＤ３４１、スーパーインポーズ用データ３４２等からなる。スーパーインポーズ用データ３３４２は、動画、静止画、文字データ等である。表示位置情報３２４は、行事画面上の表示位置座標情報である。
【００４８】
尚、広告情報データベース３０１のデータ構成は、この構成に限られるものではない。
【００４９】
制御プログラム３９１は、サーバ１０１の各構成部分を駆動制御するプログラムであり、ＯＳ（オペレーティングシステム）に相当する。
アプリケーションプログラム３９２は、サーバ１０１が行う後述の処理（図８、図１０、図１１参照）に相当する広告情報登録手段１１１、スーパーインポーズ用情報登録手段１１２、配信制御手段１１３、スーパーインポーズ手段１１４等に相当する実行可能プログラムである。
【００５０】
次に、図６を参照しながら、情報配信装置１０３のハードウェア構成を説明する。図６は、情報配信装置１０３のハードウェア構成図である。
【００５１】
情報配信装置１０３は、制御部４０１、記憶部４０２、無線送受信部４０３、通信制御部４０４等が、バス４０９を介して接続されて構成される。
制御部４０１は、ＣＰＵ、ＲＯＭ、ＲＡＭ等で構成され、記憶装置４０２に格納されたプログラムに従って、各装置を駆動制御する。
ＲＡＭは、記憶部２０２、ＲＯＭ、記録媒体等からロードしたプログラム、データ等を一時的に保持するとともに、制御部２０１が各種処理を行う為に使用するワークエリアを備え、サーバ１０１から送信された広告情報３２０や広告情報３２０にスーパーインポーズ用情報３４０を合成した情報が一時的に格納される。
記憶部２０２には、各構成部分を駆動制御する制御プログラム、運用形態に応じて、アプリケーションプログラムとして、情報配信処理等の実行可能プログラムが格納される。
無線送受信部４０３は、赤外線等を利用して、無線アンテナ４０８を介して、無線通信により一定間隔で周辺に問合せを行うことにより、近接するショッピングカート１０８の情報提示装置１０５を検出し、送受信を行うものである。
通信制御部４０４は、情報配信装置１０３と通信回線１０９間の通信を媒介する通信インタフェースであり、通信回線１０９を介して、情報配信装置１０３と、サーバ１０１間の通信制御を行う。
【００５２】
次に、図７を参照しながら、情報提示装置１０５のハードウェア構成と携帯型端末１０３と連結器具１０１との接続を説明する。
図７は、情報提示装置１０５のハードウェア構成を示す図である。
【００５３】
情報提示装置１０５は、制御部５０１、記憶部５０２、無線送受信部５０３、表示部５０４、入力部５０５、電源制御部５０６、バッテリー５０７等が、バス５０９を介して接続されて構成される。
記憶部５０２には、各構成部分を駆動制御する制御プログラム、アプリケーションプログラムとして、予め、サーバ１０５からダウンロードしたサーバ１０１からの広告情報３２０や広告情報３２０にスーパーインポーズ用情報３４０を合成した情報の表示処理等の実行可能プログラムが格納されている。
無線送受信部５０３は、無線アンテナ５０８を介して、無線通信により、情報提示装置１０５と情報配信装置１０３間で送受信を行う。
【００５４】
入力部５０５は、データの入力を行い、例えば、タッチパネル、操作キー、操作ボタン等であり、表示部５０４（液晶ディスプレイ）に表示された操作案内、各種処理、操作を行う。
【００５５】
電源制御部５０６は、バッテリー５０７に接続され、携帯型端末１０３内の各部に供給制御する。
【００５６】
次に、図８、図９を参照しながら、本発明の実施形態に係る情報配信システム１００におけるサーバ１０１の広告情報登録処理の処理手順について説明する。図８は、広告情報登録処理の処理手順を示すフローチャートである。図９は、広告情報管理テーブル３１０の一態様を示す図である。
【００５７】
広告主１２０や店舗担当者１２１の端末装置１０７は、サーバ１０１にアクセスし、広告情報登録要求を行い、広告情報の登録に必要な項目であるゾーン、配信時間帯、広告情報等を入力、送信する（ステップＳ８０１）。
サーバ１０１の制御部２０１は、端末装置１０７から入力された広告情報の項目から、広告情報管理テーブル３１０、広告情報３２０を広告情報データベース３０１に登録、保持する（ステップＳ８０２）。
図９に示すように、例えば、乳製品のメーカーである広告主１２０が、ゾーン３（冷凍食品及び乳製品の売場）について配信時間帯３１２「平日１３：００〜１６：００」の枠に広告情報（広告情報ＩＤ３２１：１６３２）を登録し、また、店舗担当者１２１が、ゾーン９（店舗入口）について全ての配信時間帯３１２の枠に、店舗内情報である広告情報（広告情報ＩＤ３２１：１０００）を登録する。
【００５８】
次に、図１０を参照しながら、スーパーインポーズ登録処理の処理手順について説明する。図１０は、スーパーインポーズ登録処理の処理手順を示すフローチャートである。
【００５９】
店舗担当者１２１の端末装置１０７は、サーバ１０１にアクセスし、スーパーインポーズ用情報登録要求を行い、スーパーインポーズ用情報の登録に必要な項目であるゾーン、配信時間帯、スーパーインポーズ用情報等を入力、送信する（ステップＳ１００１）。
サーバ１０１の制御部２０１は、端末装置１０７から入力されたスーパーインポーズ用情報の項目から、スーパーインポーズ用情報管理テーブル３１０、スーパーインポーズ用情報３２０を広告情報データベース３０１に登録、保持する（ステップＳ１００２）。
【００６０】
例えば、店舗担当者１２は、特定の商品の売上げ状況に応じて、夕方のタイムセールスとして、当該商品の売場のゾーンに対して、所定の時間帯に特定商品の価格情報をスーパーインポーズするよう登録する。また、店舗入口のゾーンに対して、店舗内情報に顧客情報（購買履歴、ポイントやマイレージ等）をスーパーインポーズするように登録する。
【００６１】
次に、図１１を参照しながら、本発明の実施形態に係る情報配信システム１００の配信制御処理およびスーパーインポーズ処理の処理手順について説明する。図１１は、配信制御処理およびスーパーインポーズ処理の処理手順を示すフローチャートである。
【００６２】
情報配信システム１００は、情報配信に際して、商品の売上げ状況や在庫状況を判断するために、例えば、外部システムである在庫販売管理システム１０を利用する。在庫販売管理システム１０は、商品の在庫販売管理のために利用されている。大型店では、ＥＤＩ（Ｅｌｅｃｔｒｏｎｉｃ  Ｄａｔａ  Ｉｎｔｅｒｃｈａｎｇｅ：電子データ交換）システムを用いて商取引のデータ管理を行っており、個々の店舗では、一般的にＰＯＳ（Ｐｏｉｎｔ  ｏｆ  Ｓａｌｅ）システムを用いて販売管理を行っている。また、商品マスタと呼ばれる取引商品の商品単位での商品マスタデータベースによって、店舗ごとの取扱商品の情報が管理される。在庫販売管理システム１０は、商品マスタデータベース、ＥＤＩシステム、ＰＯＳシステム等を用いて構築され、商品マスタデータベースを用いて個々の商品の取り扱いの有無を確認でき、ＥＤＩシステムから得られた入荷データと、ＰＯＳシステムから得られた販売情報との差分データを求めることにより、商品毎に、在庫状況および売上げ状況を管理可能となる。
【００６３】
サーバ１０１の制御部２０１は、在庫販売管理システム１０にアクセスし、在庫販売管理システム１０から、特定の商品の在庫状況および売上げ状況を示す情報を取得する（ステップＳ１１０１）。
【００６４】
制御部２０１は、取得した売上げ状況の判定を行い、所定のノルマ（閾値）に達していない場合（ステップＳ１１０２）、該当する商品の売上げ状況に応じて、価格情報を当該商品のスーパーインポーズ用情報として設定する（ステップＳ１１０３）。売上げ状況の判定による価格情報制御は、例えば、商品ＩＤ、閾値、判定時刻、価格情報等からなる価格情報テーブルを登録しておき、価格情報テーブルを参照しながら、売上げ状況の判定を行うことにより可能となる。
【００６５】
制御部２０１は、広告情報データベース３０１内の広告情報管理テーブル３１０から、現時点での、当該ゾーン２１に割り当てられている情報配信装置１０３に配信する広告情報３２０を取得する（ステップＳ１１０４）。
制御部２０１は、広告情報データベース３０１のスーパーインポーズ用情報管理テーブル３３０内に、現時点での、当該ゾーン２１に割り当てられている情報配信装置１０３に配信するスーパーインポーズ用情報３２０があれば（ステップＳ１１０５のＹｅｓ）、取得した広告情報３２０と、スーパーインポーズ用情報３４０を合成（スーパーインポーズ）する（ステップＳ１１０６）。
尚、在庫販売管理システム１０による在庫状況を判定し、売り切れ状態、あるいは取り扱っていない商品である場合、当該広告情報の配信を停止する制御を行うことも可能である。
制御部２０１、広告情報３２０にスーパーインポーズ用情報３４０を合成した情報、あるいは広告情報３２０を当該ゾーン２１に割り付けられた当該情報配信装置１０３に送信する（ステップＳ１１０７）。
【００６６】
情報配信装置１０３の制御部４０１は、受信した情報をメモリに一時的に記憶する（ステップＳ１１０８）。
全ゾーン２１に対して、配信終了するまで（ステップＳ１１０９のＮｏ）、サーバ１０１の制御部２０１は、ステップＳ１１０１からステップＳ１１０９の処理を繰り返す。
サーバ１０１の制御部２０１は、以上の配信制御処理を所定の時間間隔（例えば、５分間毎）で実行する。
【００６７】
次に、図１２を参照しながら、情報配信装置１０３から情報提示装置１０５への情報配信処理の処理手順について説明する。図１２は、情報配信装置１０３から情報提示装置１０５への情報配信処理の処理手順を示すフローチャートである。
【００６８】
情報配信装置１０３の制御部４０１は、例えば、３０秒に１回などの間隔において、赤外線等により検出信号を送信し、ショッピングカート１０８の接近による、通信可能である情報提示装置１０５の検出を行う（ステップＳ１２０１）。
ショッピングカート１０８が当該ゾーン２１に進入し、情報提示装置１０５の制御部５０１が、情報配信装置１０３からの検出信号を受信すると（ステップＳ１２０２のＹｅｓ）、応答信号を返信する（ステップＳ１２０３）。
情報配信装置１０３の制御部４０１は、ショッピングカート１０８に備える情報提示装置１０５の接近を検出すると（ステップＳ１２０４のＹｅｓ）、当該情報提示装置１０５への情報配信判定を行う（ステップＳ１２０５）。
例えば、情報配信装置１０３から、担当ゾーン２１内に存在する全ての情報提示装置１０５に対して、配信対象となる広告情報を繰り返し配信することもできるが、同一ゾーンで長居する買い物客に対して、同じ広告情報が繰り返し流れることになるので、逆効果になる。そこで、実用上、情報配信装置１０３は、情報提示装置１０５の固有ＩＤあるいはアドレスを検出することにより、担当ゾーンに初めて入ってきた情報提示装置１０３に対して、配信対象となる広告情報を１回だけ配信するようにし、２回目以降は配信しない。
【００６９】
ショッピングカート１０８へ情報配信する場合（ステップＳ１２０５のＹｅｓ）、制御部４０１は、メモリに記憶されている情報（広告情報、あるいは広告情報にスーパーインポーズ用情報をスーパーインポーズした情報）を当該情報提示装置１０８に送信する（ステップＳ１２０６）。
情報提示装置１０５の制御部５０１は、例えば、受信した情報からなるスーパーインポーズ画面３０ａ、３０ｂを表示部５０４に表示する（ステップＳ１２０７）。
【００７０】
図１３は、スーパーインポーズした情報を表示したスーパーインポーズ画面３０ａ、３０ｂを示す図である。
図１３（ａ）に示すように、スーパーインポーズ画面３０ａは、ゾーン２１−１（精肉売場）での精肉の広告情報３２ａに、タイムセールスの精肉の値引きを示す価格情報であるスーパーインポーズ用情報３４ａを合成したものである。更に、広告情報として、購入予定の商品情報などと連動して価格情報をスーパーインポーズしてもよい。
また、図１３（ｂ）に示すように、スーパーインポーズ画面３０ｂは、ゾーン２１−９（店舗入口）での店舗内情報の広告情報３２ｂに、ショッピングカート１０８を使用する顧客の顧客情報（ポイント情報）であるスーパーインポーズ用情報３４ｂを合成したものである。顧客情報に基づく配信制御は、予め、顧客に会員カードを発行しておき、情報提示装置１０５に会員カードを挿入することにより、個人情報を読み取る読取手段を備えると、顧客の属性情報を把握することが可能となる。
【００７１】
以上説明したように、本発明の実施の形態によれば、サーバ１０１は、広告情報管理テーブル３１０、広告情報３２０を登録、保存する広告情報登録手段１１１と、スーパーインポーズ用情報管理テーブル３３０、スーパーインポーズ用情報３４０等を登録、保存するスーパーインポーズ登録手段１１２と、広告情報管理テーブル３１０とスーパーインポーズ用情報管理テーブル３３０を用いて、スケジュールされた時間帯に、登録した広告情報を、情報配信装置１０３を介して、情報提示装置１０５に配信するとともに、広告情報にスーパーインポーズ用情報を合成した情報を指定された時間帯に配信する制御を行う配信制御手段１１３と、スーパーインポーズ用情報を、広告情報に合成するスーパーインポーズ手段１１４と、を備え、店舗２０内の売場を分割した個々のゾーン２１毎に割り当てられ、ゾーン２１内の情報提示装置１０５に対して、サーバ１０１から送られた情報を配信する情報配信装置１０３と、情報配信装置１０３から無線通信により受信した広告情報又は合成された情報を表示する情報提示装置１０５と、を具備することにより、店舗内で買い物を行う顧客に対して、広告情報に価格情報等をスーパーインポーズした情報を提供する。
【００７２】
これにより、夕方からのタイムセールのように、売上げ状況、在庫状況などを判断して、スケジュールされた情報に加えて、リアルタイムに設定した価格情報等の有効な情報を、顧客に対して提供することが可能となる。
また、店舗内情報や広告情報に加えて、ショッピングカートを使用する顧客の購買履歴、ポイント等の顧客情報を表示可能とする。
【００７３】
尚、本実施の形態では、サーバ１０１がスーパーインポーズ手段を有し、広告情報にスーパーインポーズ用情報を合成した情報を配信したが、ショッピングカートに備える情報提示装置側でスーパーインポーズ手段を有し、受信した広告情報、スーパーインポーズ用情報を合成して、表示してもよい。
【００７４】
以上、添付図面を参照しながら、本発明に係る情報配信システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００７５】
【図１】本発明の本実施の形態に係る情報配信システム１００の概略構成を示す図
【図２】店舗内でのゾーン定義と店舗内の概略構成の一例を示す平面図
【図３】サーバ１０１のハードウェア構成図
【図４】記憶部２０２が保持する情報を示す図
【図５】広告情報データベース３０１のデータ構造を示す図
【図６】情報配信装置１０３のハードウェア構成図
【図７】情報提示装置１０５のハードウェア構成を示す図
【図８】広告情報登録処理の処理手順を示すフローチャート
【図９】広告情報管理テーブル３１０の一態様を示す図
【図１０】スーパーインポーズ登録処理の処理手順を示すフローチャート
【図１１】配信制御処理およびスーパーインポーズ処理の処理手順を示すフローチャート
【図１２】情報配信装置１０３から情報提示装置１０５への情報配信処理の処理手順を示すフローチャート
【図１３】スーパーインポーズした情報を表示したスーパーインポーズ画面３０ａ、３０ｂを示す図
【符号の説明】
【００７６】
１００………情報配信システム
１０１………サーバ
１０３………情報配信装置
１０５………情報提示装置
１０７………端末装置
１０８………ショッピングカート
１０９………通信回線
１１１………広告情報登録手段
１１２………スーパーインポーズ登録手段
１１３………配信制御手段
１１４………スーパーインポーズ手段
１２０………広告主
１２１………店舗担当者
２０１、４０１、５０１………制御部
２０２、４０２、５０２………記憶部
３０１………広告情報データベース
３１０………広告情報管理テーブル
３２０………広告情報
３３０………スーパーインポーズ用情報管理テーブル
３４０………スーパーインポーズ用情報
１０………在庫販売管理システム
２０………店舗
２１（２１−１、２１−２、…、２１−９）………ゾーン
２２………商品陳列棚
【図１】
0005358869.tif 000002
【図２】
0005358869.tif 000003
【図３】
0005358869.tif 000004
【図４】
0005358869.tif 000005
【図５】
0005358869.tif 000006
【図６】
0005358869.tif 000007
【図７】
0005358869.tif 000008
【図８】
0005358869.tif 000009
【図９】
0005358869.tif 000010
【図１０】
0005358869.tif 000011
【図１１】
0005358869.tif 000012
【図１２】
0005358869.tif 000013
【図１３】
0005358869.tif 000014